(57)【要約】      （修正有）【課題】粘着テープ等を用いることなく、容器外面部分に修理伝票等を保持しておくことができる緩衝容器を提供する。【解決手段】一対の収納用凹部１３，１４と、一対の収納用凹部１３，１４の開口部同士を対向させた状態に折り畳むための折曲部１５と、一対の収納用凹部１３，１４の開口部同士を突き合わせた閉じ状態に保持するための止着部１３ｃ，１４ｃとを有する容器本体１１と、一対の収納用凹部１３，１４の開口部を覆うようにして平面状にそれぞれ張設された伸縮性及び柔軟性を有する収納物支持部材１２，１２と、容器本体１１の外面に設けられた伝票保持部１６とを備えている。【選択図】図１
2005153921.tif 000002
【特許請求の範囲】
【請求項１】
一対の収納用凹部と、該一対の収納用凹部の開口部同士を対向させた状態に折り畳むための折曲部と、前記一対の収納用凹部の開口部同士を突き合わせた閉じ状態に保持するための止着部とを有する容器本体と、前記一対の収納用凹部の開口部を覆うようにして平面状にそれぞれ張設された伸縮性及び柔軟性を有する収納物支持部材と、前記容器本体の外面に設けられた伝票保持部とを備えていることを特徴とする緩衝容器。
【請求項２】
前記伝票保持部は、容器内側に向けて凹んだあり溝により形成されていることを特徴とする請求項１記載の緩衝容器。
【請求項３】
前記伝票保持部は、前記鍔部を収納用凹部外面方向に屈曲させて筒状に形成されていることを特徴とする請求項１記載の緩衝容器。
【請求項４】
前記容器本体が硬質合成樹脂製透明シートで形成され、前記収納物支持部材軟質合成樹脂製透明シート又はフィルムで形成されていることを特徴とする請求項１記載の緩衝容器。
【発明の詳細な説明】
【技術分野】
【０００１】
本発明は、緩衝容器に関し、詳しくは、各種物品を軟質合成樹脂製シート又はフィルムで挟んだ緩衝状態で収納する二重構造の緩衝容器に関する。
【背景技術】
【０００２】
凹状に成形された一対の半体を閉じ合わせることができるようにヒンジ結合するとともに、両半体の開口部に伸縮性及び柔軟性を有するシート状の支持部材を平面状にそれぞれ張設し、収納物を支持部材で挟持して宙吊り状態に弾性支持する緩衝容器が知られている（例えば、特許文献１参照。）。
【特許文献１】特許第３２３２５１８号公報（第２頁、第４図）
【発明の開示】
【発明が解決しようとする課題】
【０００３】
従来の緩衝容器は、対象とする収納物が容器ごとにほとんど決まっているため、収納物の型式等の表示は、容器外面に印刷したりすることによって行われている。また、半体や支持部材が透明ならば、外部から収納物を見ることによっても確認することができる。さらに、高額な商品の場合には、このような緩衝容器を印刷等が施された外箱内に納めた状態で流通、販売されるのが普通である。
【０００４】
しかし、上述のような緩衝容器を、腕時計、ヘッドホンステレオ、携帯端末、ノートパソコン等の修理を扱う窓口部門（店舗）と修理部門との間の通函として使用する場合は、収納物（修理品）の型式等が特定されないので、修理品を収納した緩衝容器には、修理品の型式をはじめとして、その故障状態や顧客情報を記載した修理伝票を付しておく必要がある。このため、従来は、修理伝票を粘着テープで容器外面に貼り付けたり、ゴムバンドで止めておいたりする方法が一般的に行われていた。
【０００５】
ところが、粘着テープやゴムバンドを用いると、大量に修理を扱う店舗では、消耗品である粘着テープやゴムバンドのコストが嵩むだけでなく、また、粘着テープを貼ったり、剥がしたりするときに緩衝容器が破損するおそれがあり、緩衝容器の外面に粘着剤が残って汚れてしまうことがある。
【０００６】
そこで本発明は、粘着テープ等を用いることなく、容器外面部分に修理伝票等を保持しておくことができる緩衝容器を提供することを目的としている。
【課題を解決するための手段】
【０００７】
上記目的を達成するため、本発明の緩衝容器は、  一対の収納用凹部と、該一対の収納用凹部の開口部同士を対向させた状態に折り畳むための折曲部と、前記一対の収納用凹部の開口部同士を突き合わせた閉じ状態に保持するための止着部とを有する容器本体と、前記一対の収納用凹部の開口部を覆うようにして平面状にそれぞれ張設された伸縮性及び柔軟性を有する収納物支持部材と、前記容器本体の外面に設けられた伝票保持部とを備えていることを特徴としている。
【０００８】
さらに、前記伝票保持部が容器内側に向けて凹んだあり溝により形成されていること、あるいは、前記鍔部を収納用凹部外面方向に屈曲させて筒状に形成されていることを特徴とし、また、前記容器本体が硬質合成樹脂製透明シートで形成され、前記収納物支持部材軟質合成樹脂製透明シート又はフィルムで形成されていることを特徴としている。
【発明の効果】
【０００９】
本発明の緩衝容器によれば、容器外面に形成した伝票保持部に修理伝票等を保持させておくことができるので、粘着テープ等を用いる必要がなくなる。
【発明を実施するための最良の形態】
【００１０】
図１乃至図４は、本発明の緩衝容器の一形態例を示すもので、図１は物品を収納した状態を示す断面側面図、図２は斜視図、図３は容器を開いた状態を示す斜視図、図４は製造時の状態を示す断面側面図である。
【００１１】
この緩衝容器は、硬質合成樹脂製透明シートで成形した容器本体１１と、軟質合成樹脂製透明シート又はフィルムからなる収納物支持部材１２とにより形成されている。容器本体１１は、周縁部に平面状の鍔部１３ａ、１４ａを有する一対の収納用凹部１３，１４と、該一対の収納用凹部１３，１４の開口部１３ｂ，１４ｂ同士を対向させて突き合わせた状態に折り畳むための折曲部１５と、前記一対の収納用凹部１３，１４の開口部１３ｂ，１４ｂ同士を突き合わせた閉じ状態に保持するための止着部１３ｃ，１４ｃとを有しており、面積の広い平面部には、適当な補強リブ１３ｄ、１４ｄが設けられるとともに、一方の収納用凹部１４の外面には、容器内側に向けて凹んだあり溝からなる伝票保持部１６が設けられている。
【００１２】
容器本体１１を構成する硬質合成樹脂製透明シートは、容器本体１１の大きさや必要強度に応じて適当な合成樹脂を使用することができ、例えば、ポリプロピレン、ポリアミド、ポリカーボネート、ＡＢＳ樹脂、ポリエチレン、非晶性エチレンテレフタレート系ポリエステル樹脂等の熱可塑性樹脂を用いることができる。容器本体１１の成形は、硬質合成樹脂製透明シートの性状や厚みに応じて選択でき、例えば、圧空成形、真空成形、ブロー成形によって成形することができる。また、射出成形等によって厚手のシート状に成形するようにしてもよい。
【００１３】
収納物支持部材１２は、伸縮性及び柔軟性を有するシート又はフィルムであって、例えば、ポリウレタン系エラストマー、ポリエステル系エラストマー、ポリアミド系エラストマー、ポリオレフィン系エラストマー、ポリスチレン系エラストマー、ポリ塩化ビニル系エラストマー、ポリブタジエン系エラストマー、ポリ塩化ビニリデン系エラストマー等を用いることができる。
【００１４】
また、容器本体１１や収納物支持部材１２は、必要に応じてこれらのシートやフィルムを積層して用いることもでき、周知の帯電防止剤等の添加剤を添加配合することができる。
【００１５】
収納物支持部材１２は、容器本体１１の前記鍔部１３ａ、１４ａに、接着あるいは融着によって平面状に貼り付けられ、両開口部１３ｂ，１４ｂを覆うように張設される。このとき、収納物支持部材１２は、１枚のシート又はフィルムで両開口部１３ｂ，１４ｂを覆うようにしてもよく、各開口部１３ｂ，１４ｂに別の収納物支持部材１２をそれぞれ貼り付けるようにしてもよい。
【００１６】
伝票保持部１６は、保持する伝票１７の大きさや厚みに対応した寸法及び形状に形成されるものであって、例えば、二つ折りや四つ折りにした伝票１７の両側縁を伝票保持部１６の幅広奥部１６ａにそれぞれ挿入することにより、開口縁の両突出片１６ｂで伝票１７を保持するようにしている。さらに、伝票保持部１６に透明合成樹脂製シート等のカバー材を装着しておき、容器外面とカバー材との間に伝票を挿入するようにしてもよい。
【００１７】
特に、このような構成からなる伝票保持部１６に保持させる伝票として、紙片からなる伝票以外に、プラスチックシートにＩＣチップを埋め込んだＩＣタグ、非接触カード等の情報記録カードの挿入保持にも好適である。
【００１８】
このように、形成した緩衝容器は、収納する物品（収納物）１８を、両開口部１３ｂ，１４ｂにそれぞれ張設された収納物支持部材１２の間に挟持し、収納用凹部１３，１４の内部に宙吊り状態で弾性支持することにより、衝撃等から収納物１８を保護することができる。そして、容器外面に伝票保持部１６を設けておくことにより、例えば、修理品を収納した緩衝容器に粘着テープ等を用いなくても修理伝票を確実に添付しておくことができ、粘着テープ等の消耗品が不要となる。特に、容器本体１１や収納物支持部材１２を透明材料で形成することにより、収納した修理品の確認も容器を開くことなく容易に行うことができる。
【００１９】
図５は、緩衝容器における伝票保持部の他の形態例を示す断面側面図である。なお、以下の説明において、前記形態例で示した緩衝容器における構成要素と同一の構成要素には、それぞれ同一符号を付して詳細な説明は省略する。
【００２０】
本形態例に示す伝票保持部２１は、伝票１７を丸めた状態で保持するように形成されている。この伝票保持部２１は、容器本体１１を成形する際に、一方の鍔部１３ａを延長して保持片２２を鍔部１３ａと一体に形成するとともに、鍔部１３ａと保持片２２との間に第１折曲部２３を、保持片２２の先端側に第２折曲部２４をそれぞれ形成した後、第１折曲部２３を収納用凹部１３の反開口方向に折曲げて第２折曲部２４を収納用凹部１３の側壁外面の近傍乃至接触する程度まで折曲げ、さらに、第２折曲部２４を収納用凹部１３の側壁外面に沿うように開口方向に折り曲げた状態としている。これにより、収納用凹部１３の側壁外面、鍔部１３ａの裏面及び保持片２２の内面で囲まれた断面三角形筒状の伝票保持部２１が形成される。
【００２１】
このように筒状にした伝票保持部２１では、丸めた状態の伝票１７を収容した状態で保持するので、伝票１７が外部に露出せず、搬送中等に伝票１７が損傷することを防止できる。なお、鍔部１３ａが十分な幅寸法を有している場合は、保持片２２を延長せずに鍔部１３ａを上記同様の形状に折り曲げて伝票保持部を形成することも可能である。
【００２２】
なお、上記各形態例の止着部１３ｃ，１４ｃは、一方が凸状、他方が凹状に形成され、凸状の止着部が凹状の止着部内に嵌合することによって両開口部を閉じた状態を保持するようにしているが、その他の各種係止構造を止着部に採用することができ、別部材を鍔部に設けてスライドさせたり、回動させたりして鍔部１３ａ、１４ａを閉じ状態に保持するものであってもよい。
【産業上の利用可能性】
【００２３】
本発明の緩衝容器は、収納する物品（収納物）が特定されない修理品を収納して修理伝票を付した状態で搬送、保管する用途に最適である。
【図面の簡単な説明】
【００２４】
【図１】物品を収納した状態を示す緩衝容器の断面側面図である。
【図２】緩衝容器の斜視図である。
【図３】容器を開いた状態を示す緩衝容器の斜視図である。
【図４】緩衝容器の製造時の状態を示す断面側面図である。
【図５】伝票保持部の他の形態例を示す断面側面図である。
【符号の説明】
【００２５】
１１…容器本体、１２…収納物支持部材、１３，１４…収納用凹部、１３ａ、１４ａ…鍔部、１３ｂ，１４ｂ…開口部、１３ｃ，１４ｃ…止着部、１３ｄ、１４ｄ…補強リブ、１５…折曲部、１６…伝票保持部、１６ａ…幅広奥部、１６ｂ…突出片、１７…伝票、１８…収納物、２１…伝票保持部、２２…保持片、２３…第１折曲部、２４…第２折曲部
【図１】
2005153921.tif 000003
【図２】
2005153921.tif 000004
【図３】
2005153921.tif 000005
【図４】
2005153921.tif 000006
【図５】
2005153921.tif 000007